(57)【要約】【課題】  物品の大きさや数量、陳列スペース等の様々な状況に応じて多様な陳列形態を選択でき、物品の陳列効率を高めることができるようにする。【解決手段】  基本ユニットとなる陳列棚１を、長方形状をなす棚板として形成された陳列棚本体であるカセットトレー２と、その左，右方向の一側に設けた連結用の係合穴部１６と、左，右方向の他側に設けた連結用の突起部１７と、前側のフェイスガード１８、左，右の側板２１および後板２２等とにより構成する。そして、陳列棚１は、単独で用いる陳列形態と、２個のカセットトレー２を左，右で連結した陳列形態と、カセットトレー２を上，下に間隔をもって複数段に配列する陳列形態等のように、多様な陳列形態を選択できる構成としている。【選択図】        図１
2005073898.tif 000002
【特許請求の範囲】
【請求項１】
物品を陳列するために１個または複数個の陳列棚を選択的に用いてなる物品陳列装置であって、
前記陳列棚は、四角形状をなす棚板として形成された陳列棚本体と、該陳列棚本体の左，右方向一側に設けられた連結用の係合穴部と、前記陳列棚本体の左，右方向他側に設けられ該係合穴部に係合可能な形状を有する連結用の突起部とを備える構成としたことを特徴とする物品陳列装置。
【請求項２】
前記連結用の突起部は、少なくとも２個の前記陳列棚本体を左，右方向で連結するときに、相手方となる陳列棚本体の前記係合穴部に掛止め状態で係合する構成としてなる請求項１に記載の物品陳列装置。
【請求項３】
前記陳列棚本体の前端側には、上向きに突出して左，右方向に延びる前板部を設け、該前板部の上端側には、陳列対象の物品を説明するために用いる表示物ホルダを着脱可能に取付ける構成としてなる請求項１または２に記載の物品陳列装置。
【請求項４】
前記陳列棚本体の上面側には、左，右方向の両端側に位置して前，後方向に細長く延びる左，右の溝部を設け、該各溝部内には、陳列対象の物品が前記陳列棚本体の外側にはみ出すのを防ぐための側板を着脱可能に嵌合して取付ける構成としてなる請求項１，２または３に記載の物品陳列装置。
【請求項５】
前記陳列棚本体の上面側には、その後端側に位置して左，右方向に細長く延びる後側の溝部を設け、該後側の溝部内には、陳列対象の物品が前記陳列棚本体の後側にはみ出すのを防ぐための後板を着脱可能に嵌合して取付ける構成としてなる請求項１，２，３または４に記載の物品陳列装置。
【請求項６】
複数個の前記陳列棚本体を上，下方向に間隔をもって配列するための陳列棚支持体を備え、前記陳列棚本体の下面側には、左，右方向に離間して前，後方向に延び該陳列棚支持体に着脱可能に嵌合して取付けられる左，右の凹部を設けてなる請求項１，２，３，４または５に記載の物品陳列装置。
【請求項７】
前記陳列棚支持体は、上，下に離間した支持腕部と、該各支持腕部の間を上，下方向で連結した連結部とからなるコ字形枠体により構成し、該コ字形枠体の各支持腕部には、前記各陳列棚本体の凹部を嵌合して取付ける構成としてなる請求項６に記載の物品陳列装置。
【請求項８】
前記陳列棚支持体は、下側のベース板と、該ベース板から上向きに立設され互いに左，右方向で離間した左，右の支柱と、該左，右の支柱にそれぞれ設けられ上，下方向で互いに離間した複数の支持腕とを備えたワゴン台により構成し、該ワゴン台の各支持腕には、前記各陳列棚本体の凹部を嵌合して取付ける構成としてなる請求項６に記載の物品陳列装置。
【発明の詳細な説明】
【技術分野】
【０００１】
本発明は、例えば化粧品、薬品、食品等の商品、またはこれらのサンプル、テスター等を含む物品を複数個並べた状態で陳列するのに好適に用いられる物品陳列装置に関し、特に、１個または複数個の陳列棚を任意に組合わせて種々の陳列形態を選択できるようにした物品陳列装置に関する。
【背景技術】
【０００２】
一般に、化粧品、薬品、食品等の商品、またはこれらのサンプル、テスター等を含む物品は、店頭での販売を促進するために陳列台等を用いて綺麗に並べた状態で陳列されることが多い。また、該当の物品に対して顧客の注意や興味を惹くために、様々な陳列形態を選択できるようにした陳列台（陳列装置）も提案されている。
【０００３】
この種の従来技術による陳列台としては、例えば上，下２段のひな壇を有する基台と、該基台のひな壇上に所謂マジックテープ（凸テープと凹テープからなる面ファスナ）等を用いて着脱可能に載置される第１，第２の小陳列台とを備えたものが知られている（例えば、特許文献１参照）。
【０００４】
そして、この場合の陳列台は、第１の小陳列台と第２の小陳列台とを基台のひな壇上にそれぞれ載置、固定して用いる陳列形態と、第１の小陳列台と第２の小陳列台とを基台によらず直置きして用いる陳列形態との２通りの陳列形態を選択できるようにしているものである。
【０００５】
また、それぞれが階段状に形成された陳列部を有する２個一対の陳列台からなり、これらの陳列台を直列または並列状に配置する２通りの陳列形態を選択できるようにした陳列装置も知られている（例えば、特許文献２参照）。
【０００６】
【特許文献１】特開２００１−１４９１８９号公報
【特許文献２】特開２００１−１１２５９３号公報
【発明の開示】
【発明が解決しようとする課題】
【０００７】
ところで、上述した従来技術（特許文献１）によるの陳列台は、陳列対象となる物品の形状や大きさ、数量等がある程度決められている場合には有効なものである。しかし、陳列形態を選択する場合にも、単に第１の小陳列台と第２の小陳列台との配置形態を変えるのみであるため、形状や大きさが異なる物品を陳列する場合には、必ずしも有効に対処できないという問題がある。
【０００８】
また、他の従来技術（特許文献２）の陳列装置にあっても、一対の陳列台を直列または並列状に配置する２通りの陳列形態を選択できるだけであり、物品の大きさや数量、陳列スペース等の様々な状況に応じて多様な陳列形態を選択できるものではない。
【０００９】
本発明は上述した従来技術の問題に鑑みなされたもので、本発明の目的は、物品の大きさや数量、陳列スペース等の様々な状況に応じて多様な陳列形態を選択することができ、店頭等での物品の陳列効率を高めることができるようにした物品陳列装置を提供することにある。
【００１０】
また、本発明の他の目的は、形状や大きさが異なる複数種類の物品を選択的に陳列する場合にも、それぞれの物品を綺麗に並べた状態で陳列することができ、顧客の購買意欲を増進させ、物品の販売を有効に促進することができるようにした物品陳列装置を提供することにある。
【課題を解決するための手段】
【００１１】
上述した課題を解決するために、請求項１の発明は、物品を陳列するために１個または複数個の陳列棚を選択的に用いてなる物品陳列装置であって、前記陳列棚は、四角形状をなす棚板として形成された陳列棚本体と、該陳列棚本体の左，右方向一側に設けられた連結用の係合穴部と、前記陳列棚本体の左，右方向他側に設けられ該係合穴部に係合可能な形状を有する連結用の突起部とを備える構成としたことを特徴としている。
【００１２】
また、請求項２の発明によると、前記連結用の突起部は、少なくとも２個の前記陳列棚本体を左，右方向で連結するときに、相手方となる陳列棚本体の前記係合穴部に掛止め状態で係合する構成としている。
【００１３】
また、請求項３の発明は、前記陳列棚本体の前端側には、上向きに突出して左，右方向に延びる前板部を設け、該前板部の上端側には、陳列対象の物品を説明するために用いる表示物ホルダを着脱可能に取付ける構成としている。
【００１４】
また、請求項４の発明は、前記陳列棚本体の上面側には、左，右方向の両端側に位置して前，後方向に細長く延びる左，右の溝部を設け、該各溝部内には、陳列対象の物品が前記陳列棚本体の外側にはみ出すのを防ぐための側板を着脱可能に嵌合して取付ける構成としている。
【００１５】
また、請求項５の発明は、前記陳列棚本体の上面側には、その後端側に位置して左，右方向に細長く延びる後側の溝部を設け、該後側の溝部内には、陳列対象の物品が前記陳列棚本体の後側にはみ出すのを防ぐための後板を着脱可能に嵌合して取付ける構成としている。
【００１６】
一方、請求項６の発明は、複数個の前記陳列棚本体を上，下方向に間隔をもって配列するための陳列棚支持体を備え、前記陳列棚本体の下面側には、左，右方向に離間して前，後方向に延び該陳列棚支持体に着脱可能に嵌合して取付けられる左，右の凹部を設けてなる構成としている。
【００１７】
また、請求項７の発明によると、前記陳列棚支持体は、上，下に離間した支持腕部と、該各支持腕部の間を上，下方向で連結した連結部とからなるコ字形枠体により構成し、該コ字形枠体の各支持腕部には、前記各陳列棚本体の凹部を嵌合して取付ける構成としている。
【００１８】
さらに、請求項８の発明によると、前記陳列棚支持体は、下側のベース板と、該ベース板から上向きに立設され互いに左，右方向で離間した左，右の支柱と、該左，右の支柱にそれぞれ設けられ上，下方向で互いに離間した複数の支持腕とを備えたワゴン台により構成し、該ワゴン台の各支持腕には、前記各陳列棚本体の凹部を嵌合して取付ける構成としている。
【発明の効果】
【００１９】
以上詳述した通り、請求項１に記載の発明によれば、物品を陳列するために１個または複数個の陳列棚を選択的に用いてなる物品陳列装置において、前記陳列棚は、四角形状をなす棚板として形成された陳列棚本体と、該陳列棚本体の左，右方向一側に設けられた連結用の係合穴部と、前記陳列棚本体の左，右方向他側に設けられた連結用の突起部とを備える構成としているので、例えば２個以上の陳列棚本体を左，右方向で連結したり、複数の陳列棚本体を上，下方向で複数段に間隔をもって配列したりすることが可能となる。
【００２０】
このため、物品の大きさや数量、陳列スペース等の様々な状況に応じて多様な陳列形態を選択することができ、例えば陳列対象物品の店頭等における陳列効率を高めることができる。また、形状や大きさが異なる複数種類の物品を選択的に陳列する場合にも、それぞれの物品を綺麗に並べた状態で陳列することができ、顧客の購買意欲を増進させ、陳列対象となる物品の販売や宣伝を有効に促進することができる。
【００２１】
また、請求項２に記載の発明は、少なくとも２個の陳列棚本体を左，右方向で連結するときに、一方の陳列棚本体に設けた連結用の係合部を相手方となる陳列棚本体の係合穴部に掛止め状態で係合することにより、少なくとも２個の陳列棚本体を左，右方向で安定して連結することができ、陳列対象の物品が大，小の異なるサイズであっても簡単に対処することができる。
【００２２】
また、請求項３に記載の発明は、陳列棚本体の前端側に前板部を設け、該前板部の上端側には、陳列対象の物品を説明するために用いる表示物ホルダを着脱可能に取付ける構成としているので、陳列棚本体の前側に表示物ホルダを配置して、陳列対象の物品を広く宣伝、広告することができ、該当物品に対して顧客の注意や興味を惹くことができる。また、陳列装置の梱包、搬送時等には、陳列棚本体の前側から表示物ホルダを取外すことにより、陳列装置をコンパクトに梱包することができ、搬送作業等を容易に行うことができる。
【００２３】
また、請求項４に記載の発明は、陳列棚本体の左，右方向両端側に設けた左，右の溝部内に、側板を着脱可能に嵌合して取付ける構成としているので、側板を用いることにより、陳列対象の物品が前記陳列棚本体の外側にはみ出すのを防止でき、陳列棚本体の表面上に物品を整列させた状態で綺麗に陳列することができる。また、陳列装置の梱包、搬送時等には、陳列棚本体の側方から側板を取外すことにより、陳列装置をコンパクトに梱包することができ、搬送作業等を容易に行うことができる。
【００２４】
また、請求項５に記載の発明は、陳列棚本体の後端側に設けた後側の溝部内に、後板を着脱可能に嵌合して取付ける構成としているので、この場合も陳列対象の物品が陳列棚本体の後側にはみ出すのを有効に防止でき、陳列棚本体の表面上に物品を整列させた状態で綺麗に陳列することができる。また、後板を広告板として活用することも可能であり、陳列対象の物品に対して顧客の注意や興味を惹くことができる。さらに、陳列装置の梱包、搬送時等には、陳列棚本体の後端側から後板を取外すことにより、陳列装置をコンパクトに梱包することができ、搬送作業等を容易に行うことができる。
【００２５】
一方、請求項６に記載の発明は、複数個の陳列棚本体を上，下方向に間隔をもって配列するための陳列棚支持体を備え、前記陳列棚本体の下面側には該陳列棚支持体に着脱可能に嵌合して取付けられる凹部を設ける構成としているので、陳列棚支持体を用いることにより複数個の陳列棚本体を上，下方向に間隔をもって配列する陳列形態を実現でき、例えば対象物品の店頭等における陳列効率を高めることができる。
【００２６】
また、請求項７に記載の発明によると、前記陳列棚支持体は、上，下に離間した支持腕部と、該各支持腕部の間を上，下方向で連結した連結部とからなるコ字形枠体により構成しているので、各陳列棚本体の凹部をコ字形枠体の各支持腕部に嵌合して取付けることにより、例えば上，下２段の陳列形態を実現することができる。
【００２７】
また、２個以上の陳列棚本体を左，右方向で連結した複数連結型の陳列棚も上，下２段に配列でき、物品の大きさや数量、陳列スペース等の様々な状況に応じてより多様な陳列形態を選択することができる。そして、コ字形枠体は小型で単純な構造であるため、低コストで製作することができると共に、未使用時（不要なとき）には保管スペースを小さくでき、省スペース化を図ることができる。
【００２８】
さらに、請求項８に記載の発明は、陳列棚支持体を、下側のベース板、左，右の支柱および複数の支持腕とを備えたワゴン台により構成しているので、各陳列棚本体の凹部をワゴン台の各支持腕に嵌合して取付けることにより、例えば上，下３段の陳列形態等を実現することができ、この場合でも物品の大きさや数量、陳列スペース等の様々な状況に応じてより多様な陳列形態を選択することができる。
【発明を実施するための最良の形態】
【００２９】
以下、本発明の実施の形態による物品陳列装置を、例えば化粧品の商品陳列装置として用いた場合を例に挙げ、添付図面の図１〜図１５に従って詳細に説明する。
【００３０】
ここで、図１ないし図１０は本発明の第１の実施の形態を示している。図中、１は商品陳列装置の基本ユニットとなる陳列棚で、該陳列棚１は、後述のカセットトレー２、連結用の係合穴部１６、突起部１７、フェイスガード１８、左，右の側板２１、後板２２等により構成されるものである。
【００３１】
２は陳列棚１の主要部を構成する陳列棚本体としてのカセットトレーで、該カセットトレー２は、例えば硬質の樹脂材料等を用いて図２ないし図７に示すように、長方形状（四角形状）をなす棚板として形成されている。この場合、カセットトレー２の大きさは、１例として左，右方向の幅寸法が４５０ｍｍ程度、前，後方向の奥行き寸法が２００ｍｍ程度となっている。
【００３２】
そして、カセットトレー２は、例えば図６、図７に示すように１〜２ｍｍ程度の板厚をもった薄板状の表面プレート３と、該表面プレート３の前，後，左，右の端部に位置しこれらの端部を縁取るように、例えば２０ｍｍ程度の寸法をもって表面プレート３の端縁から下向きに突出した前縁部４、後縁部５および左，右の側縁部６，７と、後述の縦リブ８、横リブ９、前板部１０および左，右の凹部１５等とにより構成されている。
【００３３】
また、表面プレート３の下面（裏面）側には、図５ないし図７に示す如く左，右方向に離間して前縁部４と後縁部５との間を前，後方向に延びた左，右の縦リブ８，８と、該各縦リブ８間を左，右方向に延び前，後方向で互いに離間した例えば４本の横リブ９，９，…とが形成されている。
【００３４】
そして、左，右の縦リブ８，８は、側縁部６，７等に対応した上，下方向寸法を有し、これらの側縁部６，７との間で後述の凹部１５を形成するものである。また、各縦リブ８間に位置する各横リブ９は、縦リブ８よりも短い上，下方向寸法に形成され、各縦リブ８と共に表面プレート３を裏面（下面）側から補強するものである。
【００３５】
１０は表面プレート３の前端側に位置し上向きに突出して設けられた前板部を示し、該前板部１０は、前縁部４と上，下方向で対向する位置に配置され、前縁部４と合計した上，下方向の高さ寸法が、例えば６０〜６５ｍｍ程度に形成されている。そして、前板部１０の上端側には、後述のフェイスガード１８が着脱可能に取付けられるものである。
【００３６】
１１は前板部１０から後側に僅かに離間して表面プレート３の上面側に設けられた他の横リブで、該横リブ１１は、前板部１０共に表面プレート３の全幅にわたって左，右方向に延び、その高さ寸法は、例えば１０ｍｍ程度となっている。そして、横リブ１１は、表面プレート３の上面側を前板部１０と一緒に補強する機能を有している。
【００３７】
１２，１３はカセットトレー２の左，右両端側に設けられた左，右の溝部で、該溝部１２，１３は、図５、図６に示す如く表面プレート３の上面から左，右の側縁部６，７内に向けて細長い溝を掘込むように形成され、左，右方向に離間すると共に前，後方向では互いに平行になって細長く延びている。そして、これらの溝部１２，１３内には、後述の側板２１がそれぞれ取付けられるものである。
【００３８】
この場合、左，右の溝部１２，１３のうち側縁部６側に位置する溝部１２は、図６に示す如く有底の凹溝として形成され、側縁部７側に位置する溝部１３は、側縁部７を上，下方向に貫通して形成されている。そして、この溝部１３は、後述の切欠き１６Ａと共に係合穴部１６を構成するものである。なお、溝部１２についても、カセットトレー２に十分な強度が確保される限りは側縁部６を上，下方向に貫通して形成してもよい。
【００３９】
１４はカセットトレー２の後端側に設けられた後側の溝部で、該溝部１４は、図７に示すように表面プレート３の上面から後縁部５内に向けて細長い溝を掘込むように形成され、図５に示す如く縦リブ８，８間を左，右方向に細長く延びている。そして、後側の溝部１４内には、後述の後板２２が取付けられるものである。なお、溝部１４についても、後縁部５を上，下方向に貫通して形成してもよいものである。
【００４０】
１５，１５はカセットトレー２の下面側に設けられた左，右の凹部で、該各凹部１５は、図５、図６に示す如く表面プレート３の裏面側に位置し、左，右の縦リブ８，８と側縁部６，７との間に断面コ字形状をなす凹溝として形成されている。そして、これらの凹部１５は、前縁部４と後縁部５との間を前，後方向に延び、その後端側は、後縁部５を断面コ字形状に切欠くことにより外部に開口しているものである。
【００４１】
ここで、これらの凹部１５は、後述の第２，第３の実施の形態で述べるように複数のカセットトレー２を上，下方向に間隔をもって配列するときに、後述するコ字形枠体３１の支持腕部３２，３３（ワゴン台４１の各支持腕４６）等に嵌合して取付られるものである。
【００４２】
１６，１６は２個のカセットトレー２を左，右方向で連結するときに用いる連結用の係合穴部で、該各係合穴部１６は、カセットトレー２の左，右の側縁部６，７のうち右側の側縁部７に、溝部１３と連通する２個の切欠き１６Ａ，１６Ａを形成することにより、側縁部７の下端側に開口して構成されるものである。
【００４３】
この場合、切欠き１６Ａは、図３ないし図５に示す如く後述の突起部１７に対応してカセットトレー２の前，後方向に離間して配設され、突起部１７の厚みにほぼ等しい切欠き深さ有している。そして、２個のカセットトレー２，２を図９、図１０に示すように左，右方向で連結するときには、各係合穴部１６に突起部１７が着脱可能に係合されるものである。
【００４４】
１７，１７は２個のカセットトレー２を左，右方向で連結するときに用いる連結用の突起部で、該各突起部１７は、カセットトレー２の左，右の側縁部６，７のうち左側の側縁部６から断面Ｌ字状に突出したフック状の突起として形成されている。そして、これらの突起部１７は、図３ないし図５に示すようにカセットトレー２の前，後方向に離間して配設され、相手方の各係合穴部１６に掛止め状態で着脱可能に係合されるものである。
【００４５】
即ち、２個のカセットトレー２を図９、図１０に示すように左，右方向で連結するときには、各突起部１７が切欠き１６Ａを介して溝部１３内に挿嵌され、これにより突起部１７は係合穴部１６に係合され、２個のカセットトレー２，２を互いに連結した状態に保つものである。
【００４６】
１８は前板部１０の上端側に着脱可能に取付けられた表示物ホルダとしてのフェイスガードで、該フェイスガード１８は、柔軟性を有する透明または半透明の樹脂材料等を用いて図１ないし図４に示すよう門形状をなして形成され、その厚みは表面プレート３等に比較して薄くなっている。そして、フェイスガード１８は、カセットトレー２の前面側に位置し、陳列棚１全体の美観を高める機能を有するものである。
【００４７】
また、フェイスガード１８には、図１、図３、図４に仮想線で示す如くシート状をなす複数の広告カード１９，１９，…と、値札カード２０等とがそれぞれ取外し可能に設けられるものである。そして、広告カード１９には、陳列対象の商品（例えば、後述の化粧品２３）を宣伝、広告するための印刷表示等が施され、値札カード２０には、商品の販売価格等が表示されるものである。
【００４８】
２１，２１はカセットトレー２の左，右両側に設けられる側板で、これらの側板２１は、カセットトレー２の左，右の溝部１２，１３に着脱可能に嵌合して取付けられ、例えば後述する陳列対象の化粧品２３等がカセットトレー２の表面から左，右方向にはみ出して脱落したりするのを防ぐものである。なお、側板２１の下端側には段差等を設け、各側板２１が溝部１２，１３から不用意に抜け落ちないようにする工夫が施されている。
【００４９】
２２はカセットトレー２の後端側に設けられる後板で、該後板２２は、カセットトレー２の後側の溝部１４に着脱可能に嵌合して取付けられ、例えば陳列対象の化粧品２３等がカセットトレー２の表面から後側にはみ出して脱落したりするのを防ぐものである。また、この後板２２には、化粧品２３の商品名や効能等を印刷して表示でき、広告板としても兼用できるものである。
【００５０】
さらに、２３，２３，…は陳列対象の商品となる化粧品で、これらの化粧品２３は、図８に示すようにカセットトレー２の表面プレート３上に、例えば合計２１個分が縦３列、横７列で綺麗に並べた整列状態で陳列されるものである。
【００５１】
本実施の形態による商品陳列装置は、上述の如き構成を有するもので、次に、その陳列形態等について説明する。
【００５２】
まず、陳列棚１等からなる陳列装置を梱包、搬送するときには、図２に例示したようにカセットトレー２の前板部１０からフェイスガード１８を取外し、左，右の溝部１２，１３からは側板２１をそれぞれ取外しておく。また、カセットトレー２の後側の溝部１４からは後板２２を取外す。
【００５３】
これにより、基本ユニットとなる陳列棚１を、カセットトレー２、フェイスガード１８、左，右の側板２１，２１および後板２２の５部材に分解することができ、陳列棚１全体をコンパクトに分解して梱包できると共に、搬送作業等を容易に行うことができる。
【００５４】
また、化粧品の販売店等にあっては、このように梱包して搬送されてきた陳列装置を、図２中に矢印で示すようにカセットトレー２に対して、フェイスガード１８、左，右の側板２１，２１および後板２２等を組付けることにより、例えば図１に示す陳列棚１として容易に組立てることができる。
【００５５】
次に、基本ユニットとなる陳列棚１を用いて多数の化粧品２３等を陳列する場合には、例えば合計２１個の化粧品２３を図８に示す如く、カセットトレー２の表面プレート３上に縦３列、横７列で綺麗に並べて陳列することができる。
【００５６】
これにより、化粧品２３を店頭等で陳列して販売する場合に、商品を綺麗に整列させた状態で商品価値を高め、顧客の注意や興味を惹くことができると共に、顧客の購買意欲を増進させ、化粧品２３の販売を確実に促進することができる。
【００５７】
また、合計２１個の化粧品２３をカセットトレー２の表面プレート３上に縦３列、横７列で綺麗に並べることにより、陳列棚１を用いた化粧品２３の陳列効率を高めることができると共に、商品の陳列状態が散漫な印象を顧客に与える等の問題を解消することができる。
【００５８】
ところで、化粧品２３等の商品にあっては、その内容物が同一であっても大，小とサイズの異なる化粧品を製造、販売することは多い。そして、このような場合に化粧品２３よりもサイズの大きい化粧品を陳列しようとしても、サイズの大きい化粧品は、カセットトレー２の表面プレート３上に綺麗に並べて配置することが難しくなる。
【００５９】
そこで、このような場合には、図９に示すように２個のカセットトレー２，２を左，右方向で互いに連結して複数連結型となるツイン型陳列棚２４を構成すれば、化粧品２３よりもサイズの大きい化粧品を、２個のカセットトレー２，２の表面プレート３上に綺麗に並べて配置することができる。
【００６０】
即ち、ツイン型陳列棚２４の場合には、２個のカセットトレー２，２を図９、図１０に示す如く左，右方向で連結するため、一方のカセットトレー２の突起部１７を、相手方となるカセットトレー２の溝部１３内に切欠き１６Ａを介して挿嵌し、これにより一方の突起部１７を相手方の係合穴部１６内に掛止め状態で係合させる。
【００６１】
また、このツイン型陳列棚２４にあっては、２個のカセットトレー２，２間に位置する溝部１２，１３から予め側板２１を取外しておくことにより、カセットトレー２，２間に邪魔な仕切り等をなくすことができ、各カセットトレー２の表面プレート３上に広い陳列スペースを左，右方向に長く延ばして形成することができる。
【００６２】
この結果、図８に例示した化粧品２３とは異なるサイズの化粧品を陳列する場合でも、２個のカセットトレー２，２を図９、図１０に示す如く左，右方向で連結したツイン型陳列棚２４を用いることにより、陳列対象の化粧品を綺麗に並べた整列状態で陳列することができ、顧客に対して商品の陳列状態が散漫な印象を与える等の問題を解消することができる。
【００６３】
従って、本実施の形態によれば、単独の陳列棚１とツイン型陳列棚２４とを選択的に用いることにより、化粧品２３等の商品の大きさ、数量または陳列スペース等の様々な状況に応じて多様な陳列形態を選択することができ、店頭等における陳列効率を高めることができる。
【００６４】
そして、化粧品２３等のように、形状や大きさが異なる複数種類の商品を選択的に陳列する場合にも、単独の陳列棚１とツイン型陳列棚２４とを選択的に用いることにより、それぞれの商品を綺麗に並べた状態で陳列することができ、顧客の購買意欲を増進させ、商品の販売を有効に促進することができる。
【００６５】
また、陳列棚１のカセットトレー２は、図９、図１０に例示したツイン型陳列棚２４に限らず、例えば３個以上のカセットトレー２，２，…を左，右方向で互いに連結して用いることも可能であり、より多様な陳列形態を選択することができる。
【００６６】
次に、図１１ないし図１３は本発明の第２の実施の形態を示し、本実施の形態では、前述した第１の実施の形態と同一の構成要素に同一の符号を付し、その説明を省略するものとする。
【００６７】
しかし、本実施の形態の特徴は、陳列棚支持体としてのコ字形枠体３１を用いることにより、例えば２個の陳列棚１，１を上，下２段に間隔をもって配列する構成したことにある。
【００６８】
ここで、コ字形枠体３１は、図１２に示すように上，下に離間した支持腕部３２，３３と、該支持腕部３２，３３間を上，下方向で連結した連結部３４とから全体としてコ字形状をなす角パイプを用いて構成されている。そして、コ字形枠体３１の支持腕部３２，３３には、２個の陳列棚１，１が上，下２段に間隔をもって配列されるものである。
【００６９】
即ち、各陳列棚１のカセットトレー２には、図５、図６に例示したように左，右に離間して一対の凹部１５，１５が形成されている。そこで、図１２に示す如く２個のコ字形枠体３１，３１を前記凹部１５，１５に対応した左，右方向の間隔をもって配置しておく。なお、コ字形枠体３１は、角パイプ等を用いることにより、例えば販売店のカウンター、机の上等に単独でも起立、正立できるものである。
【００７０】
そして、この状態で各コ字形枠体３１の支持腕部３２，３３上に、各陳列棚１のカセットトレー２を図１２中の矢示方向に誘導し、各カセットトレー２の凹部１５を支持腕部３２，３３上に嵌合して取付ける。これによって、２個の陳列棚１，１を図１１に示す如く上，下２段に間隔をもって配列する陳列形態を実現できるものである。
【００７１】
また、２個のカセットトレー２，２を図１３に示す如く左，右方向で連結したツイン型陳列棚２４を、上，下２段組として用いる場合には、合計４個のコ字形枠体３１，３１，…を予め用意しておくことにより、２組のツイン型陳列棚２４，２４を、図１１に例示したように上，下２段に間隔をもって配列する陳列形態を実現できる。
【００７２】
かくして、このように構成される本実施の形態でも、前記第１の実施の形態とほぼ同様の作用効果を得ることができる。特に、本実施の形態では、複数個のコ字形枠体３１を選択的に用いることにより、陳列棚１またはツイン型陳列棚２４を上，下２段に間隔をもって配列する陳列形態を実現できる。また、３個以上の陳列棚１を左，右方向で連結して複数連結型の陳列棚を構成し、これを上，下２段に配列することも可能である。
【００７３】
このため、図８に例示した化粧品２３等のように、商品の大きさ、数量等が異なる場合、また、販売店毎に陳列スペースが異なる場合等にも、様々な状況に応じてより多様な陳列形態を選択することができ、店頭等における陳列効率を高めることができる。
【００７４】
そして、図８に例示した化粧品２３等のように、形状や大きさが異なる複数種類の商品を選択的に陳列する場合にも、上，下２段の陳列棚１とツイン型陳列棚２４（複数連結型の陳列棚）とを選択的に用いることにより、それぞれの商品を綺麗に並べた状態で陳列することができ、顧客の購買意欲を増進させ、商品の販売を有効に促進することができる。
【００７５】
また、コ字形枠体３１は小型で単純な構造であるため、低コストで製作できると共に、例えば第１の実施の形態で述べた陳列形態のように、コ字形枠体３１を不要とする陳列形態を選択するときには、コ字形枠体３１の保管スペースを小さくすることができ、省スペース化を図ることも可能である。
【００７６】
次に、図１４および図１５は本発明の第３の実施の形態を示し、本実施の形態では、前述した第１の実施の形態と同一の構成要素に同一の符号を付し、その説明を省略するものとする。
【００７７】
しかし、本実施の形態の特徴は、陳列棚支持体としてのワゴン台４１を用いることにより、例えば３個の陳列棚１，１，…を上，下３段に間隔をもって配列する構成したことにある。
【００７８】
ここで、ワゴン台４１は、図１５に示すように、例えば合計４個のキャスタ４２，４２，…を用いて床面上を移動可能となった下側のベース板４３と、該ベース板４３から上向きに立設され互いに左，右方向で離間した左，右の支柱４４，４４と、これらの支柱４４にそれぞれＬ字状の連結具４５を介して設けられ互いに上，下方向で離間した角パイプからなる合計６個の支持腕４６，４６，…とにより大略構成されている。
【００７９】
また、ワゴン台４１には、ベース板４３と左，右の支柱４４との間に位置して各支柱４４を斜め後側から支える一対の後梁４７，４７等が設けられている。また、各支柱４４の上端側には、広告ボード４８と横板４９とが上，下に離間して設けられ、この横板４９には、例えば３本のフック５０，５０，…が設けられている。
【００８０】
また、各支柱４４の下部側には、ベース板４３との間に位置してポップと呼ばれる広告シート５１が配置されている。そして、ワゴン台４１の広告ボード４８と下側の広告シート５１には、それぞれ陳列対象の商品（例えば、図８に示した化粧品２３等）を宣伝、広告するための印刷表示がなされるものである。また、上側の各フック５０には、他の陳列商品等が吊下されるものである。
【００８１】
そして、ワゴン台４１の各支持腕４６には、例えば３個の陳列棚１，１，１が図１４、図１５に示す如く上，下３段に間隔をもって配列される。即ち、各陳列棚１のカセットトレー２には、図５、図６に例示したように左，右に離間して一対の凹部１５，１５が形成されている。
【００８２】
そこで、ワゴン台４１の各支持腕４６上に、各陳列棚１のカセットトレー２を図１５中の矢示方向に誘導し、各カセットトレー２の凹部１５を各支持腕４６上に嵌合して取付ける。これにより、３個の陳列棚１，１，１を図１４に示す如く上，下３段に間隔をもって配列する陳列形態を実現できるものである。
【００８３】
かくして、このように構成される本実施の形態でも、前記第１の実施の形態とほぼ同様の作用効果を得ることができる。特に、本実施の形態では、ワゴン台４１を用いることにより、例えば３個の陳列棚１を上，下３段に間隔をもって配列する陳列形態を実現できる。また、上，下２段または４段以上に配置する構成としていもよい。
【００８４】
このため、商品の大きさ、数量または陳列スペース等の様々な状況に応じてより多様な陳列形態を選択することができ、店頭等における陳列効率を高めることができる。そして、各陳列棚１内には図８に例示した化粧品２３等の商品を綺麗に並べた状態で陳列することができ、顧客の購買意欲を増進させ、商品の販売を有効に促進することができる。
【００８５】
また、ワゴン台４１のベース板４３には、キャスタ４２を設けているので、例えば化粧品の販売店等では床面に沿ってワゴン台４１全体を容易に移動することができ、顧客の注意を惹くような位置にワゴン台４１を適宜に配置することができる。
【００８６】
なお、前記第３の実施の形態では、ワゴン台４１を用いて陳列棚１を上，下３段で配列する場合を例に挙げて説明した。しかし、本発明はこれに限るものではなく、例えば第２の実施の形態で述べたように、２個のカセットトレー２，２を左，右方向で連結したツイン型陳列棚２４を、ワゴン台により上，下２段または３段以上の組として配置する構成としてもよい。
【００８７】
また、ワゴン台４１のベース板４３には、例えば合計４個のキャスタ４２，４２，…を設けることにより、販売店の床面上を移動可能に構成するものとして説明した。しかし、これに替えて、例えばベース板４３を販売店の床面上に固定する構成としてもよいものである。
【００８８】
また、前記各実施の形態では、例えば化粧品２３等の商品陳列装置を例に挙げて説明した。しかし、本発明はこれに限るものではなく、例えば食品関連の商品または薬品等の種々の商品、またはこれらのサンプル、テスター等を含む物品を陳列対象とした物品陳列装置にも広く適用できるものである。
【図面の簡単な説明】
【００８９】
【図１】本発明の第１の実施の形態による商品陳列装置の基本ユニットをなす陳列棚を示す斜視図である。
【図２】図１に示す陳列棚の分解斜視図である。
【図３】図１に示す陳列棚の左側面図である。
【図４】図１に示す陳列棚の右側面図である。
【図５】図２中のカセットトレーを拡大して示す平面図である。
【図６】カセットトレーを図５中の矢示VI−VI方向からみた断面図である。
【図７】カセットトレーを図５中の矢示 VII−VII 方向からみた断面図である。
【図８】図１の陳列棚に化粧品を陳列した状態を示す平面図である。
【図９】２個の陳列棚を左，右方向で連結した陳列形態を示す斜視図である。
【図１０】連結状態の陳列棚を図９中の矢示Ｘ−Ｘ方向からみた断面図である。
【図１１】第２の実施の形態によるコ字形枠体を用いた商品陳列装置を示す側面図である。
【図１２】図１１中のコ字形枠体に２個の陳列棚を取付ける前の状態を示す分解斜視図である。
【図１３】左，右方向で連結した陳列棚をコ字形枠体に取付ける前の状態を示す分解斜視図である。
【図１４】第３の実施の形態によるワゴン台を用いた商品陳列装置を示す側面図である。
【図１５】図１４中の各陳列棚をワゴン台に取付ける前の状態を示す分解斜視図である。
【符号の説明】
【００９０】
１  陳列棚
２  カセットトレー（陳列棚本体）
３  表面プレート
１０  前板部
１２，１３  左，右の溝部
１４  後側の溝部
１５  凹部
１６  連結用の係合穴部
１６Ａ  切欠き
１７  連結用の突起部
１８  フェイスガード（表示物ホルダ）
２１  側板
２２  後板
２３  化粧品（物品）
２４  ツイン型陳列棚
３１  コ字形枠体（陳列棚支持体）
３２，３３  支持腕部
３４  連結部
４１  ワゴン台（陳列棚支持体）
４２  キャスタ
４３  ベース板
４４  支柱
４６  支持腕
【図１】
2005073898.tif 000003
【図２】
2005073898.tif 000004
【図３】
2005073898.tif 000005
【図４】
2005073898.tif 000006
【図５】
2005073898.tif 000007
【図６】
2005073898.tif 000008
【図７】
2005073898.tif 000009
【図８】
2005073898.tif 000010
【図９】
2005073898.tif 000011
【図１０】
2005073898.tif 000012
【図１１】
2005073898.tif 000013
【図１２】
2005073898.tif 000014
【図１３】
2005073898.tif 000015
【図１４】
2005073898.tif 000016
【図１５】
2005073898.tif 000017